(57)【特許請求の範囲】
【請求項１】
頭部と本体部とからなる棒状器具を保持可能な保持部が形成されているホルダと、
このホルダが接続され、円弧状に伸縮する円弧状部を有するアームと、を有し、
前記円弧状部の伸縮によって描かれる前記ホルダの円弧状軌跡を含んで形成される仮想円の中心が、前記ホルダの上方に位置する、
ことを特徴とするホルダの移動機構。
【請求項２】
前記アームは、テーブル下面に設けられる取付アーム部と、
この取付アーム部に対して円弧状にスライド可能に設けられ、前記取付アーム部とで前記円弧状部をなし、前記ホルダが接続されているスライドアーム部とからなる、
ことを特徴とする請求項１記載のホルダの移動機構。
【請求項３】
前記仮想円の中心が、前記ホルダが保持する前記棒状器具の前記頭部に位置する、
ことを特徴とする請求項１又は請求項２に記載のホルダの移動機構。
【請求項４】
前記保持部に、前記棒状器具を挿入して保持することが可能な孔が形成され、この孔が前記ホルダに複数形成されている、
ことを特徴とする請求項１から請求項３までの何れか１項に記載のホルダの移動機構。
【請求項５】
前記保持部は、前記ホルダに対して着脱可能であり、かつ、
前記保持部の形状が、保持する前記棒状器具の種類毎に相違している、
ことを特徴とする請求項１から請求項４までの何れか１項に記載のホルダの移動機構。
【請求項６】
前記棒状器具が、歯科用インスツルメントである、
ことを特徴とする請求項１から請求項５までの何れか１項に記載のホルダの移動機構。
【発明の詳細な説明】
【技術分野】
【０００１】
本発明は、例えば、ヘッド及びボディからなる棒状器具を保持しながら、ヘッドを一点に定めつつ、ボディの傾きを任意に変えることができるホルダの移動機構に関し、特に、歯科治療等で使用する歯科用インスツルメントを保持するホルダ及び、理美容施術等で使用する理美容器具を保持するホルダへの適用が推奨されるホルダの移動機構に関する。
【背景技術】
【０００２】
例えば、歯科医師やそのアシスタント（以下、「歯科医師等」という。）は一般に、エアータービン、マイクロモーター、マルチシリンジ等の種々の歯科用インスツルメントを使用して歯科治療を行う。各歯科用インスツルメントは通常、エアー、水、電気等を供給するホースの先端に着脱自在に接続され、インスツルメントホルダに収納又は懸架されている。そして、インスツルメントホルダから引き出して、治療に必要な歯科用インスツルメントを使用することになる。
【０００３】
インスツルメント支持部材は、下記特許文献１に係る発明で提案される例において、テーブルから垂下したインスツルメントホルダ支持部材の先端で垂直方向に回動自在に設けられている。また、テーブルに対してインスツルメントホルダ支持部材は、水平方向に回動自在となるように取り付けられている。
【先行技術文献】
【特許文献】
【０００４】
【特許文献１】特開平７−２４０２４号公報
【発明の概要】
【発明が解決しようとする課題】
【０００５】
歯科医師等は、歯科用インスツルメントを収納又は懸架するホルダの角度を調整し、歯科用インスツルメントを掴みやすくしてから施術に臨む。しかしながら、上記特許文献１に記載のインスツルメント支持部材は、インスツルメントホルダ支持部材の先端で垂直方向に回動自在な構成であるので、調整したホルダの角度によって歯科用インスツルメントの先端位置が変わることになる。
【０００６】
具体的には、歯科用インスツルメントを起こした状態では、その先端位置が変わってテーブルの端部に近づくので掴みづらくなる。歯科用インスツルメントを倒した状態では、その先端位置が変わってシリンジ等が歯科医師やそのアシスタントの方へ向いてしまう。
【０００７】
本発明は上記実情に鑑み提案され、ヘッド及びボディからなる棒状器具を保持しながら、ヘッドを一点に定めつつ、ボディの傾きを任意に変えて、棒状器具を掴みやすく、かつヘッドの向きを適切なものに維持するホルダの移動機構を提供することを目的とする。
【課題を解決するための手段】
【０００８】
上記目的を達成するため、本発明に係るホルダの移動機構は、頭部と本体部とからなる棒状器具を保持可能な保持部が形成されているホルダと、このホルダが接続され、円弧状に伸縮する円弧状部を有するアームと、を有し、前記円弧状部の伸縮によって描かれる前記ホルダの円弧状軌跡を含んで形成される仮想円の中心が、前記ホルダの上方に位置することを特徴とする。
【０００９】
前記アームは、テーブル下面に設けられる取付アーム部と、この取付アーム部に対して円弧状にスライド可能に設けられ、前記取付アーム部とで前記円弧状部をなし、前記ホルダが接続されているスライドアーム部とからなることを特徴とする。
【００１０】
また、本発明は、前記仮想円の中心が、前記ホルダが保持する前記棒状器具の前記頭部に位置することを特徴とする。前記保持部に、前記棒状器具を挿入して保持することが可能な孔が形成され、この孔が前記ホルダに複数形成されていることを特徴とする。さらに、前記保持部は、前記ホルダに対して着脱可能であり、かつ、前記保持部の形状が、保持する前記棒状器具の種類毎に相違していることを特徴とする。このほか、前記棒状器具は歯科用インスツルメントであることを特徴とする。
【発明の効果】
【００１１】
本発明に係るホルダの移動機構は、アームの円弧状部の伸縮によって描かれるホルダの円弧状軌跡を含んで形成される仮想円の中心がホルダの上方に位置する構成である。したがって、アームの円弧状部の伸縮によってホルダが移動し、側面視において、その角度が変わっても、ホルダの上方の所定位置である仮想円の中心位置が不動となる機構を達成することができる。具体的には、アームの円弧状部の伸縮によってホルダを移動させて、その角度を変え、棒状器具の本体部を起こした状態又は倒した状態としても、その頭部は仮想円の中心となって不動にできる。これにより、棒状器具を掴みやすく、かつ、先端位置が歯科医師等の方へ向いてしまう事象を起きにくくすることができるホルダの移動機構を提供することができる。
【００１２】
また、本発明では、テーブル下面に設けられる取付アーム部と、この取付アーム部に対して円弧状にスライド可能に設けられ、取付アーム部とで円弧状部をなし、ホルダが接続されているスライドアーム部とからなるアームの構成とする。この構成により、テーブル下面に設けた取付アーム部に、スライドアーム部及びホルダの支持機能を担わせることができる。さらに、アームを伸縮させるという円弧状部の機能を、取付アーム部に対してスライドアーム部をスライドさせるという簡素な機構により達成することができる。なお、本発明では、取付アーム部の表面をスライドアーム部がスライドする構成としてもよく、取付アーム部にスライドアーム部が収容され、スライドによってスライドアーム部が現れるという刀と鞘との関係に例えられる構成としてもよい。
【００１３】
本発明において、保持部に棒状器具を挿入して保持することが可能な孔が形成され、この孔がホルダに複数形成されている構成とすれば、孔に挿入した棒状器具を、その孔で確実に保持することができる。また、孔が複数形成されているので、多種多様な棒状器具を一通りセッティングすることができて便宜である。さらに、本発明は、保持部がホルダに対して着脱可能であり、かつ、保持部の形状が保持する棒状器具の種類毎に相違している構成であるので、治療や施術等に必要な棒状器具に各々対応した保持部を用意することができ、形状の相違する保持部同士をホルダ上で交換することができる。ホルダから外した保持部を洗浄することも簡単にできる。また、棒状器具の種類に対応して保持部の形状をそれぞれ相違させる構成により、棒状器具の種類を問わず、その頭部を常に仮想円の中心に位置させることができる。このほか、棒状器具は歯科用インスツルメントであるので、歯科用インスツルメントを掴みやすく、かつ、その頭部の向きを適切なものに維持することができる。これにより、歯科医師等が施術しやすいポジションに、歯科用インスツルメントを保持させることができ、本発明は施術に関する効率及び質の向上を実現する歯科用インスツルメントホルダとして提供することができる。
【図面の簡単な説明】
【００１４】
【図１】本発明に係るホルダの移動機構を備えた歯科用テーブルの全体構成を概略で示す概略斜視図である。
【図２】図１の要部説明図であって、ハンドピースを倒した状態にしたときのホルダの移動機構の構成を側面視により説明する側面視説明図である。
【図３】図１の要部説明図であって、ハンドピースを起こした状態にしたときのホルダの移動機構の構成を側面視により説明する側面視説明図である。
【図４】本発明に係るホルダの移動機構を備えた歯科用テーブルの下面の構造に関し、回動手段について説明する説明図である。
【発明を実施するための形態】
【００１５】
以下、本発明に係るホルダの移動機構が適用される例の一つである歯科用テーブルに関し、その一実施形態について図面を参照しつつ説明する。この実施形態は、本発明の構成を具現化した例示に過ぎず、本発明は、特許請求の範囲に記載した事項を逸脱することがなければ、種々の設計変更を行うことができる。
【００１６】
本発明に係るホルダの移動機構を備えた歯科用テーブル１は、図２及び図３に示すように、棒状器具としての歯科用インスツルメント（以下、「ハンドピース」という。）２を収納又は懸架するホルダ３の角度を、ハンドピース２のヘッド２１を不動にしたまま調整することを可能にした構成を備える。この構成により、歯科医師等がハンドピース２を使用する際に掴みやすい歯科用テーブル１として提供することができる。さらに、ヘッド２１が歯科用テーブル１から突出しすぎて、歯科医師等の方へ向いてしまうという問題が解消されている。以下、具体的な構成について詳述する。
【００１７】
歯科用テーブル１は、図１に示すように、ヘッド２１とボディ２２とからなるハンドピース２を保持可能な保持部としてのスリーブ３１を有するホルダ３と、このホルダ３が接続され、円弧状に伸縮する円弧状部Ａを有するアーム１１と、このアーム１１が下面に取り付けられているテーブル本体１０とを有して構成されている。テーブル本体１０の側面には、歯科医師等が握って歯科用テーブル１を移動させやすくするためのハンドル１２が、ホルダ３の位置する側に設けられている。なお、図１〜図４において歯科用テーブル１の脚部はその記載が省略されている。
【００１８】
図１に示すように、ホルダ３に備わるスリーブ３１は着脱可能に設けられ、ハンドピース２を挿入して保持することが可能な径の孔３１ａを有している。この孔３１ａは特に、歯科医師等がハンドピース２をホルダ３から引き出して使用しやすいように、入口が広く、内部でハンドピース２を保持可能となるようにくびれた形状を有している。また、ホルダ３を側面視すれば、孔３１ａが深さ方向の一部において外部と通じている形状であることを確認することができる（図４も参照のこと）。
【００１９】
ホルダ３は、上述のように着脱可能なスリーブ３１を複数備えることにより、孔３１ａが複数形成されている略直方体形状の構造体を構成している。ホルダ３及びスリーブ３１の材質は、金属製であっても合成樹脂製であっても構わない。ホルダ３は、略直方体形状の長手方向中央部で、アーム１１、具体的には後述するスライドアーム部１１２の開放側先端に接続されている。略直方体形状の長手方向中央部でスライドアーム部１１２に接続することにより、ホルダ３の左右端部が撓んでしまうといったことを防ぐことができる。
【００２０】
さらに、スリーブ３１の形状、特にスリーブ３１に形成される孔３１ａの形状は、エアータービン、マイクロモーター、マルチシリンジ等の保持しようとするハンドピース２の種類にそれぞれ対応した形状として構成されている。このため、ホルダ３へ装着する際には、治療に必要な種類のハンドピース２に対応したスリーブ３１を用意することができ、形状の相違するスリーブ３１同士をホルダ３上で交換することができる。ホルダ３から外したスリーブ３１は簡単に洗浄することができる。
【００２１】
アーム１１は、テーブル本体１０の下面に取り付けられる取付アーム部１１１を有している。さらに、この取付アーム部１１１に対し、テーブル本体１０から外側へ向けて円弧状にスライド可能に設けられ、取付アーム部１１１の一部とで円弧状部Ａをなすスライドアーム部１１２を有している。取付アーム部１１１との接続部と逆側となるスライドアーム部１１２の開放側先端にホルダ３が接続されている。
【００２２】
円弧状部Ａは、図２に示すように、取付アーム部１１１の一部であって、ハンドル１２のある外側へ向けて形成されている円弧状部位１１１ａと、この円弧状部位１１１ａに沿ってスライドし、円弧状部位１１１ａと同様な円弧形状に形成されたスライドアーム部１１２とからなる。特に、円弧状部Ａは、取付アーム部１１１の円弧状部位１１１ａが筒状であって、この筒内部にスライドアーム部１１２が収容される構造を有している。
【００２３】
これにより、図３に示すように、円弧状部Ａの伸縮（図３において円弧状部Ａは伸びた状態である。）によって、換言すれば、取付アーム部１１１の筒内部からスライドアーム部１１２が引き出されたり、収容されたりするスライド動作によって、ホルダ３は円弧状に移動する。そうすると、図２及び図３の比較から理解されるように、ホルダ３は、その側面視の角度を変えるものの、ホルダ３が移動する円弧状軌跡で形成される仮想円の中心となる不動点が形成される。この不動点は、ホルダ３の上方かつ、テーブル本体１０のハンドル１２から前方の位置となる。特に、ホルダ３のスリーブ３１にハンドピース２が保持されている場合、その仮想円の中心である不動点はハンドピース２のヘッド２１に位置する。すなわち、ホルダ３が円弧状に移動してその角度を変えても、ハンドピース２のヘッド２１は不動のままとなる。
【００２４】
したがって、本発明では、スライドアーム部１１２のスライド動作によって、ホルダ３を円弧状に移動させ、ホルダ３の側面視の角度を変えることができる。特に、ホルダ３の側面視の角度を変え、ハンドピース２のボディ２２を起こした状態又は倒した状態にしても、ハンドピース２のヘッド２１の位置を不動とすることができる。このような構成により、歯科医師等は施術しやすいポジションとして自ら定めた角度にホルダ３を決め、これに保持させていたハンドピース２を、掴みやすい角度で扱うことができる。ヘッド２１が歯科用テーブル１０から歯科医師等の方へ突出しすぎることも防ぐことができる。特に、スリーブ３１をハンドピース２の種類に対応した形状にそれぞれ相違させて構成することにより、種類によってハンドピース２の大きさや形状が異なるにもかかわらず、ヘッド２１を常に仮想円の中心に位置させて不動にすることが可能となる。
【００２５】
また、円弧状部Ａは、取付アーム部１１１の円弧状部位１１１ａが筒状で、この筒内部にスライドアーム部１１２が収容される構造を有しているので、側面視においてホルダ３が取り得る角度は、ハンドピース２のボディ２２を倒した状態（図２参照）から起こした状態（図３参照）にする角度のみに制限される。アーム１１には、取付アーム部１１１の筒内部からスライドアーム部１１２が引き出されたり、収容されたりするスライド動作を任意の位置で固定できる固定手段が設けられている。
【００２６】
固定手段としては、例えば、図２及び図３に示すようにスライドアーム部１１２に凸条１１２１を設け、これと嵌合又は係合する孔部１１１１を取付アーム１１１に設け、適宜の長さに円弧状部Ａを伸縮した上で、これらの間で嵌合又は係合して固定する例を挙げることができる。また、例えば、適宜の長さに円弧状部Ａを伸縮した上で取付アーム部１１１とスライドアーム部１１２とをネジ止めする例を挙げることができる。これらを通じて歯科医師等は、施術しやすいポジションに自らホルダ３の側面視の角度（ハンドピース２の傾倒の程度）を定めることができる。
【００２７】
ここで本発明では、図４に示すように、テーブル本体１０の下面で、その面に沿って回転する回動部４１と、アーム１１（特に、取付アーム部１１１）を取付可能とするネジ等を備えた取付部４２とからなる回動手段４が設けられることが好ましい。本実施形態において回動手段４は、テーブル本体１０の下面のハンドル１２側の略中央部に配設されている。回動手段４にアーム１１が取り付けられると、アーム１１は、回動部４１によってテーブル本体１０に対して回動可能となる。具体的には、図４に示すように、回動部４１は、テーブル本体１０と取付部４２とで挟み込みまれ、回動自在とされている。また、回動部４１と取付アーム部１１１とは一体に形成されている。
【００２８】
これにより、テーブル本体１０の一辺、例えば、ハンドル１２が設けられている辺に対し、ホルダ３を平面視において任意の角度で位置させることができる。したがって、歯科医師等は自ら、ホルダ３を施術しやすいポジションに、その平面視の角度においても調整することができる。例えば、ある歯科医師が使用した後、別の利き手等が異なる歯科医師等が使用する場合に、ホルダ３を平面視の角度においても好みの施術しやすいポジションに変更することができる。
【００２９】
なお、上述した実施形態では、ホルダ３に着脱可能にスリーブ３１を設ける構成を説明したが、ホルダに孔を直接形成した保持部を設けても本発明を構成することができる。この場合、保持部及びその孔の形状を、インスツルメントの種類毎に相違させて設けるようにすればよい。これにより、エアータービン、マイクロモーター、マルチシリンジ等の大きさや形状が異なるインスツルメントの種類によらず、その頭部を常に仮想円の中心に位置させて不動にすることができる。
【００３０】
したがって、本発明に係るホルダの移動機構を備えた歯科用テーブル１は、アーム１１の円弧状部Ａの伸縮によってホルダ３を移動させ、その角度を変え、ハンドピース２のボディ２２を起こした状態としたり、倒した状態にしたりできる。そのとき、ヘッド２１を仮想円の中心として不動とすることができるので、ハンドピース２を掴みやすく、かつ、ヘッド２１の向きを適切なものに維持することができる。
【００３１】
アーム１１の構成は、テーブル本体１０の下面に取り付けられる取付アーム部１１１と、この取付アーム部１１１に対してスライド動作するスライドアーム部１１２とからなるので、取付アーム部１１１に、スライドアーム部１１２及びホルダ３の支持機能を担わせることができる。円弧状部Ａの伸縮機能を、取付アーム部１１１に対してスライドアーム部１１２をスライドさせるという簡素な機構により達成することができる。取付アーム部１１１がテーブル本体１０に対して回動可能であるので、テーブル本体１０の平面視に対しても、任意の角度でホルダ３を位置させることができる。
【００３２】
以上から、本発明により、ハンドピース２を掴みやすく、かつ適切なポジションで歯科医師等が各種の施術を行うことができる歯科用テーブル１を提供することができることが理解される。
【００３３】
ここで、本発明は、テーブル本体の下面においてアームの取付位置を調整することができる。すなわち、ホルダの角度が変わっても不動となる仮想円の中心を、テーブル本体からどれだけ離れた位置とするのか、テーブル本体のどれだけの高さ位置とするのかを考慮した上で、テーブル本体下面のアームの取付位置を決定することができる。
【００３４】
ホルダのアームへの接続位置は、テーブル本体と逆側の開放側先端に限定されることなく、例えば、アームの途中で接続されていても構わない。ホルダの角度が変わっても不動となる仮想円の中心を、どの位置にするのかを考慮し、ホルダのアームへの接続位置を決定することができる。また、例えば、取付アーム部やスライドアーム部の各所に孔を設け、この孔にホルダの接続部をネジ止めすることで、アームの途中の位置にホルダを接続することができる。
【００３５】
さらに、ホルダの形状は、上述した略直方体形状に限定されない。また、ホルダが略直方体形状又はその他の形状である場合に、その中央部でアームと接続される構成に限定されず、ホルダの端部でアームと接続される構成であっても構わない。この場合にも、材質等を選択することにより、十分な強度をホルダに備えさせることができる。
【００３６】
また、ホルダと保持部（スリーブ）とを色分けすることで、スリーブ自体の位置認識、内径形状のわかりやすさといった効果が得られ、インスツルメントを保持すべき場所の視認性を向上させることができる。また、保持するインスツルメントの種類毎にスリーブを色分けすることで、どのインスツルメントをどのスリーブに保持すべきかといった視認性の向上にも資することができる。色分けは、明度や色彩で区別できるようにする。モノトーン、グラデーション、模様等によって色分けすることもできる。ＬＥＤ等を利用して色分けしてもよい。
【００３７】
以上、本発明の一実施形態を例示して説明したが、本発明は、特許請求の範囲に記載された事項を逸脱することがなければ、種々の設計変更を行うことが可能である。例えば、上記実施形態では、本発明に係るホルダの移動機構を歯科用テーブルに適用した例を説明した。しかしながら、ヘッドに何らかの機能を付与して施術に用いる棒状器具を保持するホルダの移動機構を備えたテーブル等は、歯科に限られず、他の診療科で適用できる可能性がある。さらに、ヘッドに何らかの機能を付与して施術に用いる棒状器具を保持するホルダの移動機構を備えたテーブル等は、エステティック等の全身の美容術で利用されるテーブルとしても活用することができる。
【符号の説明】
【００３８】
１・・・・歯科用テーブル
１０・・・テーブル本体
１１・・・アーム
１１１・・取付アーム部
１１１ａ・円弧状部位
１１１１・孔部
１１２・・スライドアーム部
１１２１・凸条
Ａ・・・・円弧状部
２・・・・ハンドピース（歯科用インスツルメント）
２１・・・ヘッド（頭部）
２２・・・ボディ（本体部）
３・・・・ホルダ
３１・・・スリーブ（保持部）
３１ａ・・孔
４・・・・回動手段
４１・・・回動部
４２・・・取付部
【図１】
0006482385.tif 000002
【図２】
0006482385.tif 000003
【図３】
0006482385.tif 000004
【図４】
0006482385.tif 000005